(57)【要約】【課題】パッティングにおける正確な距離感を習得できると共に、コンパクトで持ち運びにも便利なゴルフパター練習器を提供すること。【解決手段】ゴルフパター練習器１０は、パッティングされたゴルフボールが登るための傾斜面３６，５８，７６と、そこを登ったゴルフボールが納まる凹部３４，５６，７４と、を有する基台１２，１４，１６を階段状に複数積み重ねて１つのユニット２４を構成している。【選択図】図１
2008220838.tif 000002
【特許請求の範囲】
【請求項１】
パッティングされたゴルフボールが登るための傾斜面と、
上記傾斜面を登った上記ゴルフボールが納まる凹部と、
を有する平板状の基台を階段状に複数積み重ねて１つのユニットを構成することを特徴とするゴルフパター練習器。
【請求項２】
最上段に配置される前記基台以外の前記基台には、前記傾斜面および前記凹部が、練習者と対向する側である手前側に形成されており、載置される前記基台は、その下段に配置される前記基台における前記傾斜面および前記凹部が形成されていない奥側のスペースに重ねて配置されることを特徴とする請求項１記載のゴルフパター練習器。
【請求項３】
前記ユニットは、手前側から奥側に向かって前記傾斜面および前記凹部が交互に一列に並んでおり、最下段に配置される前記基台における前記傾斜面の左右両側からは、前記ゴルフボールを前記傾斜面に導くための一対の導入部が手前側に向かって延出すると共に、それ以外の前記基台における前記傾斜面の左右両側に、前記ゴルフボールを前記凹部に導くための壁面を形成したことを特徴とする請求項１または２記載のゴルフパター練習器。
【請求項４】
パッティングされたゴルフボールが登るための第１の傾斜面と、
上記第１の傾斜面を登った上記ゴルフボールが納まる第１の凹部と、
上記ゴルフボールを上記傾斜面に導くために手前側に向かって延出する一対の導入部と、
を有する平板状の下基台と、
その下基台の上記第１の傾斜面と上記第１の凹部と上記導入部を避けるようにして配置可能で、
パッティングされた上記ゴルフボールが登るための第２の傾斜面と、
上記第２の傾斜面を登った上記ゴルフボールが納まる第２の凹部と、
有する基台と、
を少なくとも有することを特徴とするゴルフパター練習器。
【請求項５】
前記凹部は、すり鉢状の形態を有すると共に、その縁部は幅方向に横長の楕円形状を有することを特徴とする請求項１から４のいずれか１項記載のゴルフパター練習器。
【請求項６】
前記傾斜面および前記凹部の幅の大きさは、上段に向かうにつれて小さくなっていることを特徴とする請求項１から５のいずれか１項記載のゴルフパター練習器。
【請求項７】
前記各導入部には、それぞれが１つの円の円弧となる形状を有する曲面壁を備え、全体として外側に向かって広がる内側壁を有していることを特徴とする請求項１から６のいずれか１項記載のゴルフパター練習器。
【請求項８】
前記曲面壁の手前側には、手前側に向かって開口するテーパ形状に形成されたテーパ壁が設けられていることを特徴とする請求項７記載のゴルフパター練習器。
【請求項９】
前記各基台には、少なくとも一対の貫通孔が、各基台を重ねて載置した時にそれらの貫通孔が上下に連通するように設けられていることを特徴とする請求項１から８のいずれか１項記載のゴルフパター練習器。
【請求項１０】
前記連通した貫通孔に差し込み可能な柱状のピンと、最下段に配置される前記基台の前記導入部の内側から前記貫通孔に差し込まれた前記ピンの突出した部分における外周面に接触しながら前記各基台の外側を覆うように掛けられることが可能な２つのリング状の弾性部材と、を有することを特徴とする請求項９記載のゴルフパター練習器。
【発明の詳細な説明】
【技術分野】
【０００１】
本発明は、ゴルフの練習に用いられるゴルフパター練習器に関する。
【背景技術】
【０００２】
従来から、パッティングにおける正確な距離感を習得するためのゴルフパター練習器が提案されている。特許文献１には、一端が高くなるように傾けた傾斜板に到達距離に応じたホールを設け、当該傾斜板を箱体によって保持したゴルフパター練習器が開示されている。
【０００３】
【特許文献１】特開２００５−３２４００５号公報（要約書）
【発明の開示】
【発明が解決しようとする課題】
【０００４】
しかしながら、特許文献１に開示されているゴルフパター練習機の箱体は、奥行きおよび高さの寸法が、それぞれ５９ｃｍおよび７１ｃｍと大きく、持ち運びには不便である。また、奥行きと高さがそれぞれ４２ｃｍと４８ｃｍという小型のものも示してあるが、その小型化されたものであっても持ち運びに不便である。さらに、このゴルフパター練習機は、傾斜板の存在により、距離感が実際のゴルフ場とは大きく異なってしまう危険がある。
【０００５】
本発明は、かかる問題に鑑みてなされたものであり、その目的とするところは、パッティングにおける正確な距離感を習得できると共に、コンパクトで持ち運びにも便利なゴルフパター練習器を提供しようとするものである。
【課題を解決するための手段】
【０００６】
上記課題を解決するために、本発明は、パッティングされたゴルフボールが登るための傾斜面と、傾斜面を登ったゴルフボールが納まる凹部と、を有する平板状の基台を階段状に複数積み重ねて１つのユニットを構成したものである。
【０００７】
このように構成した場合には、基台を階段状に重ねるといった単純な構成であるため、容易に組み立てることができると共に、持ち運びにも便利である。また、ユニットを構成する各基台に凹部が設けられているため、重ねられたそれぞれの凹部を目標としてパッティングを行うことが可能となる。したがって、パッティングにおいて異なった到達距離の距離感を習得することができる。また、当該ゴルフパター練習器を任意の場所に設置して、任意の場所からパッティングを行うことができるため、目標とするパッティング距離を各個人で任意に設定することができる。
【０００８】
また、他の発明は、上述の発明に加えて更に、最上段に配置される基台以外の基台には、傾斜面および凹部が、練習者と対向する側である手前側に形成されており、載置される基台は、その下段に配置される基台における傾斜面および凹部が形成されていない奥側のスペースに重ねて配置されるものである。
【０００９】
このように構成した場合には、基台は奥側のスペースに重ねて配置されるため、傾斜面および凹部は、上段に向かうにつれて練習者から遠い距離に位置することになる。また、傾斜面および凹部は練習者と対向する側に形成されている。したがって、パッティングされたゴルフボールが下段から上段に向かって登っていくことが可能となる。
【００１０】
また、他の発明は、上述の発明に加えて更に、ユニットは、手前側から奥側に向かって傾斜面および凹部が交互に一列に並んでおり、最下段に配置される基台における傾斜面の左右両側からは、ゴルフボールを傾斜面に導くための一対の導入部が手前側に向かって延出すると共に、それ以外の基台における傾斜面の左右両側に、ゴルフボールを凹部に導くための壁面を形成したものである。
【００１１】
このように構成した場合には、パッティングされたゴルフボールが導入部により、最下段に配置される基台の傾斜面に導かれる。したがって、パッティングされたゴルフボールが傾斜面を登って凹部に納まりやすくなる。また、階段状に積み重ねられたユニットにおいて、傾斜面および凹部が交互に一列に並んでいるため、直線状に転がったゴルフボールが傾斜面を登っていきやすくなる。したがって、直線的なパッティングの習得を行うことができる。また、傾斜面の左右両側には、壁面が設けられているため、傾斜面に差しかかったゴルフボールが各基台から外側に転がり落ちるのを防止できる。したがって、ゴルフボールが傾斜面を登りやすくなり、該ゴルフボールを凹部に導くことが可能となる。
【００１２】
また、本発明は、パッティングされたゴルフボールが登るための第１の傾斜面と、第１の傾斜面を登ったゴルフボールが納まる第１の凹部と、ゴルフボールを傾斜面に導くために手前側に向かって延出する一対の導入部と、を有する平板状の下基台と、その下基台の第１の傾斜面と第１の凹部と導入部を避けるようにして配置可能で、パッティングされたゴルフボールが登るための第２の傾斜面と、第２の傾斜面を登ったゴルフボールが納まる第２の凹部と、有する基台と、を少なくとも有するものである。
【００１３】
このように構成した場合には、下基台に第１の傾斜面および第１の凹部が設けられると共に、基台に第２の傾斜面および第２の凹部が設けられているため、それらを重ねた場合、それぞれの凹部を目標としてパッティングを行うことが可能となる。また、パッティングされたゴルフボールが導入部により、下基台の第１の傾斜面に導かれる。したがって、パッティングされたゴルフボールが第１の傾斜面を登って第１の凹部に到達しやすくなると共に、第１の傾斜面を登ったゴルフボールが第２の傾斜面を登って第２の凹部に到達しやすくなる。
【００１４】
また、他の発明は、上述の発明に加えて更に、凹部は、すり鉢状の形態を有すると共に、その縁部は幅方向に横長の楕円形状を有するものである。
【００１５】
このように構成した場合には、適度な速さを有するゴルフボールのみが凹部に納まることになる。したがって、正確なパッティングの距離感を習得することが可能となる。また、縁部が幅方向に横長の楕円となっているため、傾斜面を登ったゴルフボールが凹部に納まりやすくなる。
【００１６】
また、他の発明は、上述の発明に加えて更に、傾斜面および凹部の幅の大きさを、上段に向かうにつれて小さくしたものである。このように構成した場合には、ゴルフボールが上段に向かうほど中心側に集まり基台ユニットから落ちにくくなる。その結果、ゴルフボールが上段に向かって登っていきやすくなり、上段の凹部に入りやすくなる。
【００１７】
さらに、他の発明は、上述の発明に加えて更に、各導入部には、それぞれが１つの円の円弧となる形状を有する曲面壁を備え、全体として外側に向かって広がる内側壁を有しているものである。このように構成した場合には、内側壁に当接したゴルフボールが傾斜面に導かれることとなる。したがって、パッティングされたゴルフボールが凹部に納まりやすくなる。
【００１８】
さらに、他の発明は、上述の発明に加えて更に、曲面壁の手前側には、手前側に向かって開口するテーパ形状に形成されたテーパ壁が設けられているものである。このように構成した場合には、テーパ壁に当接したゴルフボールが傾斜面に導かれることとなる。
【００１９】
また、他の発明は、上述の発明に加えて更に、各基台には、少なくとも一対の貫通孔が、各基台を重ねて載置した時にそれらの貫通孔が上下に連通するように設けられているものである。このように構成した場合には、積み重ねられた基台の貫通孔にピン等を差し込むことによって、基台同士が相対移動するのを阻止することができる。
【００２０】
さらに、他の発明は、上述の発明に加えて更に、連通した貫通孔に差し込み可能な柱状のピンと、最下段に配置される基台の導入部の内側から貫通孔に差し込まれたピンの突出した部分における外周面に接触しながら各基台の外側を覆うように掛けられることが可能な２つのリング状の弾性部材とを有するものである。
【００２１】
このように構成した場合には、貫通孔にピンを差し込むことによって、基台同士が相対移動することを阻止できる。また、リング状の弾性部材がピンの外周面に接触することによって、ピンが貫通孔から抜けにくくなる。さらに、弾性部材がユニットに掛けられた状態では、当該弾性部材は、各基台の下段から上段に向かって沿うように位置している。そのため、当該弾性部材は上段に向かって登っていくゴルフボールに対する一種の壁の役割を果たすことになる。したがって、ゴルフボールがゴルフ練習器から外側に転がり落ちるのを防止できる。その結果、パッティングされたゴルフボールが上段に向かって登って行きやすくなる。
【発明の効果】
【００２２】
本発明によると、パッティングにおける正確な距離感を習得できると共に、コンパクトで持ち運びにも便利なゴルフパター練習器を提供することができる。
【発明を実施するための最良の形態】
【００２３】
以下、本発明の一実施の形態に係るゴルフパター練習器１０について、図面を参照しながら説明する。なお、以下の説明において、図１〜図６に示す矢示Ｘ１方向を手前、矢示Ｘ２方向を奥、矢示Ｙ１方向を左、矢示Ｙ２方向を右、矢示Ｚ１方向を上および矢示Ｚ２方向を下とそれぞれ規定する。
【００２４】
図１は、本発明の一実施の形態に係るゴルフパター練習器１０の構成を示す斜視図である。図２は、本発明の一実施の形態に係るゴルフパター練習器１０の平面図である。図３は、本発明の一実施の形態に係るゴルフパター練習器１０の正面図である。図４は、図１中のゴルフパター練習器１０を構成する下基台１２、中基台１４および上基台１６の構成を示す図であり、（Ａ）は、下基台１２の平面図であり、（Ｂ）は、中基台１４の平面図であり、（Ｃ）は、上基台１６の平面図である。図５は、本発明の一実施の形態に係るゴルフパター練習器１０を持ち運び用にまとめた状態を示す平面図である。
【００２５】
ゴルフパター練習器１０は、図１に示すように、下基台１２と、その上に配置される中基台１４と、当該中基台１４の上に配置される上基台１６と、２つのピン１８と、２つのピン２０と、２つの弾性リング２２と、から主に構成されている。また、ゴルフパター練習器１０は、図１に示すように、基本的には、下基台１２、中基台１４および上基台１６を階段状に３段に重ねた１つのユニットによって構成されている。以下の説明において、下基台１２、中基台１４および上基台１６を重ねたユニットを基台ユニット２４と言うこととする。
【００２６】
下基台１２は、図２、図３および図４（Ａ）に示すように、長方形の平板状の形態を有する平板部２６と、その左右両側から手前側に向かって延出する２つの導入部２８とを有している。平板部２６は、手前側の露出部（図４（Ａ）における破線Ａより手間側の領域）３０と、中基台１４が載置される領域となる奥側の載置部（図４（Ａ）における破線Ａより奥側の領域）３２とを有している。露出部３０における左右方向略中央には、下方に向かって楕円球状に窪む第１の凹部となる凹部３４が設けられている。また、凹部３４の手前側には、奥側から手前側に向かって厚さが薄くなるようなテーパ状の第１の傾斜面３６が設けられている。また、凹部３４の左右両側には、平板部２６を上下に貫通する円形の貫通孔３８が１つずつ設けられている。下基台１２の長さＢ、幅Ｃおよび高さＤの寸法は、例えば、２７０ｍｍ、１５０ｍｍおよび１５ｍｍに設けられている。しかしながら、長さＢ、幅Ｃおよび高さＤのそれぞれの寸法は、当該値に限定されるものではない。下基台１２の材料として、高級感を出すと共に、ゴルフボールが当たっても簡単には移動しないように、タモ、ナラまたはブナ等の木材が挙げられる。ただし、下基台１２の材料は、上記木材に限定されるものではなく、例えば、プラスッチック等の他の材料を用いても良い。また、上記の木材やプラスチック等の表面に木目調のコーティングを施して高級感を出すようにしても良い。
【００２７】
凹部３４は、下方に向かってすり鉢状に窪んでおり、その縁部３５は左右方向に向かって縦長の楕円形状を有している。図３に示すように、凹部３４は、２段階に渡って窪んでおり、緩やかなすり鉢状に窪む第１凹部３９と、第１凹部３９よりやや急な傾斜のすり鉢状に窪む第２凹部４０とを有している。第２凹部４０の縁部４１は、円形状を呈している。また、図２、図３および図４（Ａ）に示すように、第２凹部４０は、第１凹部３９の略中央に形成されている。縁部３５の楕円の長径および短径の寸法は、例えば、６５ｍｍおよび３５ｍｍに設けられている。また、縁部４１の直径の寸法は、例えば、２０ｍｍに設けられている。また、凹部３４の深さ寸法は、例えば、９ｍｍに設けられている。しかしながら、縁部３５の楕円の長径および短径、縁部４１の直径並びに凹部３４の深さの寸法は、当該値に限定されるものではない。
【００２８】
第１の傾斜面３６は、凹部３４の中心を通るＸ１−Ｘ２を軸として左右対称に設けられていると共に、上述したように、テーパ状に設けられている。第１の傾斜面３６の傾斜角度は、例えば、４０度〜４８度の範囲の角度とされている。第１の傾斜面３６は、所定の高さの位置から奥側に向かって形成されている。そのため、第１の傾斜面３６の下方には、上下方向に平行な面となる正面部４３が形成されている（図３を参照）。図３に示すように、正面部４３は、Ｚ１−Ｚ２を軸として対称に形成されており、中央から左右に向かうにつれて曲線状に徐々に厚みが厚くなるように形成されている。正面部４３の厚みの寸法は、例えば、中央において１．５ｍｍ、左右両端において５ｍｍとなるように形成されている。しかしながら、これらの厚みの寸法は、当該値に限定されるものではない。
【００２９】
導入部２８は、第１の傾斜面３６の左右両側から手前側に向かって延出している。また、導入部２８は、凹部３４の中心を通るＸ１−Ｘ２を軸として左右対称に設けられている。このため、第１の傾斜面３６の手前側には、２つの導入部２８によって手前側に開口する開口領域２９が形成されている。導入部２８の上面２８ａは、平板部２６の上面２６ａと同一面となるように面一になっている。導入部２８は、その内側に壁面となる内側壁４５を有している。当該内側壁４５は、奥側から手前側に向かって、平面状の側面壁４６、曲面状の曲面壁４７および平面状のテーパ壁４８の３つの壁面に分かれている。側面壁４６、曲面壁４７およびテーパ壁４８のそれぞれは、上面２８ａに対して上下方向において略直角、すなわち垂直に立ち上がる壁となるように形成されている。側面壁４６は、平面状の壁面であり、第１の傾斜面３６の両端から手前側に向かってテーパ状に開口するように形成されている。側面壁４６は、第１の傾斜面３６の左右に形成される壁面ともなっている。そのため、第１の傾斜面３６の幅寸法は、奥側から手前側に向かうにつれて大きくなっている。第１の傾斜面３６の最奥部３６ａおよび最前部３６ｂの幅寸法は、例えば、７０ｍｍおよび７５ｍｍに形成されている。しかしながら、最奥部３６ａおよび最前部３６ｂの幅寸法は、当該値に限定されるものではない。
【００３０】
曲面壁４７は、内側から外側に向かって膨らむ曲面状の壁面となっている。左側の導入部２８における曲面壁４７と右側の導入部２８における曲面壁４７は、凹部３４の中心を通るＸ１−Ｘ２を軸として左右対称の形状を有している。また、曲面壁４７を平面視した場合の形状は、直径が約１０５ｍｍの円弧形状を呈している。また、曲面壁４７の円弧の中心は、Ｘ１−Ｘ２軸上にある。このため、左右の曲面壁４７は、それぞれが直径約１０５ｍｍの１つの円周の一部と重なるように形成されていることとなる。テーパ壁４８は、平面状の壁面であり、側面壁４６より大きな角度で奥側から手前側に向かって開口するテーパ状に形成されている。なお、曲面壁４７を平面視した場合の形状は、直径が約１０５ｍｍの円弧形状に限定されるものではなく、他の曲線形状としても良い。また、曲面壁４７とテーパ壁４８の境界部５０ａは、側面壁４６と曲面壁４７の境界部５０ｂより左右方向外側に位置している。
【００３１】
上述したように、凹部３４の左右両側には、貫通孔３８が設けられている。載置部３８にも、左右の貫通孔３８と前後方向に並ぶように、左右に２つずつ合計４つの貫通孔３８が平板部２６を上下に貫通するように設けられている。すなわち、下基台１２には、合計６つの貫通孔３８が設けられている。当該貫通孔３８は、左右において３つずつＸ１−Ｘ２軸方向に所定の間隔を隔てて一列に並ぶように設けられている。
【００３２】
中基台１４は、図２、図３および図４（Ｂ）に示すように、略長方形の平板状の形態を有している。中基台１４は、手前側の露出部（図４（Ｂ）における破線Ｅより手間側の領域）５２と、上基台１６が載置される領域となる奥側の載置部（図４（Ｂ）における破線Ｅより奥側の領域）５４とを有している。露出部５２における左右方向略中央には、下方に向かって窪む第２の凹部となる凹部５６が設けられている。また、凹部５６の手前側には、奥側から手前側に向かって厚さが薄くなるようなテーパ状の第２の傾斜面５８が設けられている。また、凹部５６の左右両側には、中基台１４を上下に貫通する円形の貫通孔６０が設けられている。また、載置部５４にも、左右の貫通孔３８と前後方向に並ぶように、中基台１４を上下に貫通する２つの貫通孔６０が設けられている。中基台１４の長さＦ、幅Ｇおよび高さＨの寸法は、例えば、それぞれ１１０ｍｍ、１５０ｍｍおよび１５ｍｍに設けられている。しかしながら、長さＦ、幅Ｇおよび高さＨのそれぞれの寸法は、当該値に限定されるものではない。中基台１４の材料は、下基台１２の材料と同様のものを採用することが好ましいが、異なる材料としても良い。
【００３３】
凹部５６は、凹部３４と同様な形状を有しているが、凹部３４よりわずかに小さいものとされている。すなわち、凹部５６は下方に向かってすり鉢状に窪んでおり、その縁部６１は左右方向に向かって縦長の楕円形状を有している。図３に示すように、凹部５６は、２段階に渡って窪んでおり、緩やかなすり鉢状に窪む第１凹部６２と、第１凹部６２よりやや急な傾斜のすり鉢状に窪む第２凹部６４とを有している。第２凹部６４の縁部６６は、円形状を呈しており、その形状の大きさは凹部３４の第２凹部４０と同一とされている。また、図２、図３および図４（Ｂ）に示すように、第２凹部６４は、第１凹部６２の略中央に形成されている。縁部６１の楕円の長径および短径の寸法は、例えば、５５ｍｍおよび３５ｍｍに設けられている。また、縁部６６の直径の寸法は、下基台１２における縁部４１の寸法と同様の２０ｍｍに設けられている。また、凹部５６の深さの寸法は、下基台１２における凹部３４の場合と同様の９ｍｍに設けられている。しかしながら、縁部６１の楕円の長径および短径、縁部６６の直径並びに凹部５６の深さの寸法は、当該値に限定されるものではない。
【００３４】
第２の傾斜面５８は、中基台１４における手前側の端面となる前端面５９の左右方向略中央を、テーパ状に切り欠くようにして設けられている。第２の傾斜面５８の傾斜角度は、第１の傾斜面３６の場合と同様、４０度〜４８度の範囲の角度とされている。第２の傾斜面５８は、第１の傾斜面３６の場合と同様、所定の高さの位置から奥側に向かって形成されている。そのため、第２の傾斜面５８の下方には、上下方向に平行な面となる正面部６８が形成されている（図３を参照）。正面部６８は、図３に示すように、下基台１２の正面部４３と同様な構成を有している。上述したように、第２の傾斜面５８は、中基台１４における前端面５９を、テーパ状に切り欠くようにして設けられているため、その両側には、壁面７０が形成されている。壁面７０は、Ｚ１−Ｚ２軸方向に平行であると共に、手前側に向かってテーパ状に開口するように形成されている。そのため、第２の傾斜面５８の幅寸法は、奥側から手前側に向かうにつれて大きくなっている。第２の傾斜面５８の最奥部５８ａおよび最前部５８ｂの幅寸法は、例えば、６０ｍｍおよび６５ｍｍに形成されている。しかしながら、最奥部５８ａおよび最前部５８ｂの幅寸法は、当該値に限定されるものではない。
【００３５】
上述したように、中基台１４には、合計４つの貫通孔６０が設けられている。これらの貫通孔６０は、左右において２つずつＸ１−Ｘ２軸方向に一列に並ぶように設けられている。また、貫通孔６０は、下基台１２の載置部３２に設けられている貫通孔３８と対応する位置に形成されている。
【００３６】
上基台１６は、図２、図３および図４（Ｃ）に示すように、略長方形の平板状の形態を有している。上基台１６における左右方向略中央には、下方に向かって窪む第３の凹部となる凹部７４が設けられている。また、凹部７４の手前側には、奥側から手前側に向かって厚さが薄くなるようなテーパ状の第３の傾斜面７６が設けられている。また、凹部７４の左右両側には、上基台１６を上下に貫通する円形の貫通孔７８が設けられている。貫通孔７８は、中基台１４における載置部５４に設けられている奥側の貫通孔６０に対応する位置に形成されている。上基台１６の長さＪ、幅Ｋおよび高さＬの寸法は、例えば、５５ｍｍ、１５０ｍｍおよび１５ｍｍに設けられている。しかしながら、長さＪ、幅Ｋおよび高さＬのそれぞれの寸法は、当該値に限定されるものではない。上基台１２の材料は、下基台１２の材料と同様のものを採用することが好ましいが、異なるものとしても良い。
【００３７】
凹部７４は、凹部３４や凹部５６と同様な形状をしているが、凹部５６よりわずかに小さなものとされている。すなわち、凹部７４は下方に向かってすり鉢状に窪んでおり、その縁部８０は左右方向に向かって縦長の楕円形状を有している。図３に示すように、凹部７４は、２段階に渡って窪んでおり、緩やかなすり鉢状に窪む第１凹部８２と、第１凹部８２よりやや急な傾斜のすり鉢状に窪む第２凹部８４とを有している。第２凹部８４の縁部８６は、円形状を呈しており、その形状、大きさは凹部５６の第２凹部６４と同一とされている。また、図２、図３および図４（Ｃ）に示すように、第２凹部８４は、第１凹部８２の略中央に形成されている。縁部８０の楕円の長径および短径の寸法は、例えば、４５ｍｍおよび３５ｍｍに設けられている。また、縁部８６の直径の寸法は、下基台１２における縁部４１や中基台１４の縁部６６の寸法と同様の２０ｍｍに設けられている。また、凹部７４の深さの寸法は、下基台１２における凹部３４や中基台１４における凹部６４の場合と同様の９ｍｍに設けられている。しかしながら、縁部８０の楕円の長径および短径、縁部８６の直径並びに凹部７４の深さの寸法は、当該値に限定されるものではない。
【００３８】
第３の傾斜面７６は、上基台１４における手前側の端面となる前端面７７の左右方向略中央を、テーパ状に切り欠くようにして設けられている。第３の傾斜面７６の傾斜角度は、第１の傾斜面３６の場合と同様、４０度〜４８度の範囲の角度とされている。第３の傾斜面７６は、第１の傾斜面３６の場合と同様、所定の高さの位置から奥側に向かって形成されている。そのため、第３の傾斜面７６の下方には、上下方向に平行な面となる正面部８８が形成されている（図３を参照）。正面部８８は、図３に示すように、下基台１２の正面部４３や中基台１４の正面部６８と同様な構成を有している。上述したように、第３の傾斜面７６は、上基台１６における前端面７７を、テーパ状に切り欠くようにして設けられている。このため、その両側には、壁面９０が形成されている。壁面９０は、Ｚ１−Ｚ２軸方向に平行であると共に、手前側に向かってテーパ状に開口するように形成されている。そのため、第３の傾斜面７６の幅寸法は、奥側から手前側に向かうにつれて大きくなっている。第３の傾斜面７６の最奥部７６ａおよび最前部７６ｂの幅寸法は、例えば、５０ｍｍおよび５５ｍｍに形成されている。しかしながら、最奥部７６ａおよび最前部７６ｂの幅寸法は、当該値に限定されるものではない。
【００３９】
ピン１８，２０は円柱形状を有している。ピン２０の長さ寸法は、ピン１８の長さ寸法よりも大きく形成されている。ピン１８，２０の材料としては、タモ、ナラまたはブナ等の木材が挙げられる。ただし、ピン１８，２０の材料として、例えば、プラスッチック等の他の材料を用いても良い。弾性リング２２は、ゴム等の弾性体からなるリング状の形態を有する部材である。
【００４０】
図１および図２に示すように、下基台１２における載置部３２の上面に中基台１４が配置される。中基台１４の貫通孔６０は、載置部３２に設けられている貫通孔３８に対応するように形成されている。このため、中基台１４が下基台１２の上面で、かつ載置部３２に載置された状態では、４つの貫通孔６０は、載置部３２に設けられている４つの貫通孔３８とそれぞれ連通する。また、下基台１２上に配置された中基台１４の上面における載置部５４に上基台１６が載置される。上基台１６の２つの貫通孔７８は、載置部５４に設けられている２つの貫通孔６０にそれぞれ対応するように形成されている。このため、上基台１６が中基台１４の上面で、かつ載置部５４に載置された状態では、２つの貫通孔７８は、載置部５４に設けられている２つの貫通孔６０とそれぞれ連通する。また、貫通孔６０と載置部３２に設けられている貫通孔３８は連通しているため、貫通孔７８は、中基台１４および下基台１２における最も奥側の貫通孔６０および貫通孔３８の双方と連通する。
【００４１】
図１に示すように、上基台１６および中基台１４のそれぞれが下基台１２に積み重ねられた状態で、各ピン２０が上基台１６の貫通孔７８に挿入される。挿入された各ピン２０は、貫通孔７８，６０を通過して載置部３２の奥側の貫通孔３８の最下部まで至っている。そのため、上基台１６と、中基台１４と、下基台１２とは、Ｘ方向、Ｙ方向に互いが相対移動できないようにされる。また、各ピン１８は、中基台１４の露出部５２における貫通孔６０に挿入される。挿入された各ピン１８は、貫通孔６０を通過して載置部３２の手前側の貫通孔３８の最下部まで至っている。そのため、中基台１４と、下基台１２は、Ｘ方向、Ｙ方向に互いが相対移動できないようにされる。図１および図３に示すように、挿入されたピン１８，２０のそれぞれは、中基台１８および上基台１６から上方に突出している。このようにして、下基台１２、中基台１４および上基台１６が互いに相対移動できないようにされる。この状態では、下基台１２の最奥部と、中基台１４の最奥部と、上基台１６の最奥部の各位置が一致する。よって、各基台１２，１４，１６の奥側の端面は同一平面を形成することとなり面一となる。
【００４２】
上基台１６および中基台１４のそれぞれが下基台１２に積み重ねられ、ピン１８，２０が貫通孔６０，７８に挿入された状態で、２つの弾性リング２２が基台ユニット２４の左右両側に掛けられる。図１および図２に示すように、弾性リング２２は、その内部に導入部２８を挿入し、第１の傾斜面３６の左右両側から、基台ユニット２４における奥側の端面に渡って掛けられる。また、弾性リング２２は、ピン１８，２０の突出した部分における外周面の幅方向外側部分に接触するように掛けられる。そのため、各ピン１８，２０は、弾性リング２２から幅方向内側に向かう弾性力を受ける。
【００４３】
図２に示すように、凹部３４，５６，７４は、ゴルフパター練習器１０を平面視した場合、側壁面４６の延長線ｐが凹部３４，５６，７４のそれぞれの縁部３５，６１，８０と外接するように設けられている。凹部３４は、水平な場所でパッティングした場合に、目的の位置（ホール）、この実施の形態では、２つの曲面壁４７で囲まれる部分、から５０ｃｍ離れた位置に相当するように設けられている。すなわち、曲面壁４７で囲まれた部分を５０ｃｍオーバーする力でパッティングしたとき、ゴルフボールは第１の傾斜面３６を上り、ちょうど凹部３４で止まることとなる。また、凹部５６は、水平な場所でパッティングした場合に、目的の位置（ホール）から１５０ｃｍ離れた位置に相当するように設けられている。さらに、凹部７４は、水平な場所でパッティングした場合に、目的の位置（ホール）から２５０ｃｍ離れた位置に相当するように設けられている。なお、本実施の形態では、一般的な速さでゴルフボールが転がるグリーンにおいてパッティングを行った場合を想定して、各凹部３４，５６，７４の位置が設定されている。このため、ゴルフボールの転がりが早いグリーンや遅いグリーンを想定する場合は、各傾斜面３６，５８，７６の傾斜角度を変えたり、各傾斜面３６，５８，７６の厚さを変えることで、早いグリーン用にしたり、遅いグリーン用にしたりすることができる。また、この実施の形態のものをそのまま使用する場合、早いグリーンを想定したときは、凹部３４は、例えば７０ｃｍオーバー、凹部５６は、例えば２００ｃｍオーバー、凹部７４は、例えば３５０ｃｍオーバーと設定し、逆に遅いグリーンの場合を想定したときは、各凹部３４，５６，７４のそれぞれのオーバーの値を小さく設定することで対応できる。
【００４４】
ゴルフパター練習器１０は、分解した状態で練習者が設置場所に持ち運び、当該設置場所において組み立てることが可能である。図５に示すように、ゴルフパター練習器１０は、下基台１２の載置部３２の上方に中基台１４を配置すると共に、下基台１２の露出部３０に上基台１６を配置し、これらの略中央に弾性リング２２を掛けた状態で持ち運びされる。また、ピン１８，２０は、中基台１４の第２の傾斜面５８と上基台１６の奥側の端面とで形成される凹部９２内に収納される。また、図５に示すように、弾性リング２２は、ピン１８，２０が凹部９２内から落ちるのを防止するために、凹部９２の幅方向内側を前後に沿うように掛けられる。
【００４５】
ゴルフパター練習器１０は、上述したように、下基台１２における載置部３２の上方に中基台１４を配置させると共に、下基台１２上に配置された中基台１４における載置部５４の上方に上基台１６を配置させる。そして、ピン２０を貫通孔７８に挿入すると共に、ピン１８を貫通孔６０に挿入した後、基台ユニット２４に弾性リング２２を掛けることによって組み立てられる。
【００４６】
次に、ゴルフパター練習器１０に向けてパッティングされたゴルフボール９４の転がり方の一例について図６を参照しながら説明する。
【００４７】
図６に示すように、パッティングされたゴルフボール９４がテーパ壁４８と導入部２８の手前側の端面となる前端面２８ｂとの境界である角部９６にぶつかった場合において、ゴルフボール９４の速度が大きいときやその場所が前端面２８ｂに近いときは、ゴルフボール９４は導入部２８に弾かれて導入部２８の外側である矢示Ｍ方向へ向かう。一方、ゴルフボール９４の速度が小さいときやぶつかる場所がテーパ壁４８に近いときは、矢示Ｎ方向に向かい、開口領域２９の内部に導かれる。矢示Ｎ方向へ向かうのは、ゴルフボール９４は、弾性力を有しており、速度が極めて遅いときは、ぶつかりの衝撃を吸収してしまうためである。開口領域２９に導かれたゴルフボール９４は、当該開口領域２９内の奥側に進入していく。
【００４８】
ゴルフボール９４がテーパ壁４８にぶつかった場合において、ゴルフボール９４の速度が大きい場合、ゴルフボール９４は、矢示Ｏ方向に向かい、開口領域２９内に入ってゆく。その後、第１の傾斜面３６を登り弾性リング２２にぶつかる。このとき、弾性リング２２はゴルフボール９４が基台ユニット２４から落ちるのを阻止するように働く。第１の傾斜面３６を登ったゴルフボール９４に弾性リング２２を乗り越える以上の勢いがあれば、ゴルフボール９４は弾性リング２２を乗り越えて、依然として矢示Ｏ方向に向かい、ゴルフパター練習器１０の外側に飛び出す。一方、弾性リング２２を乗り越える勢いがない場合には、ゴルフボール９４は弾性リング２２に弾かれて矢示Ｐ方向に向かう。弾性リング２２は弾性力を有するため、矢示Ｐ方向に弾かれたゴルフボール９４は、弾かれる前よりも勢いを失う。そのため、および弾性リングで弾かれるようなものは元々勢いが小さいものであるため、矢示Ｐ方向に弾かれたゴルフボール９４は、第２の傾斜面５８を登りきることはなく、凹部３４に納まるか、第１の傾斜面３６を転がり落ちていく。
【００４９】
ゴルフボール９４がテーパ壁４８にぶつかった場合において、ゴルフボール９４の速度が極めて小さい場合、ゴルフボール９４は、わずかに斜め方向に進路を変え、略直進する方向となるＱ方向に向かう。その後、ゴルフボール９４は、曲面壁４７にぶつかるか第１の傾斜面３６の右端部に向かう。曲面壁４７にぶつかったものは、第１の傾斜面３６が存在する矢示Ｒ方向に向かう。しかし、ゴルフボール９４の速度は極めて小さいため、該ゴルフボール９４は、ぶつかった曲面壁４７と対向する曲面壁４７に沿い、矢示Ｓ方向に向かって開口領域２９の外側に出てゆく。
【００５０】
ゴルフボール９４が矢示Ｔ方向に向かう場合において、該ゴルフボール９４の速度が小さい場合、例えば、パッティングの強さが３０ｃｍオーバー程度の場合、当該ゴルフボール９４は、第１の傾斜面３６を登りきらず、開口領域２９内に納まる。一方、ゴルフボール９４の速度が大きい場合、例えば、パッティングの強さが５０ｃｍオーバー以上の場合、矢示Ｔ方向に沿って第１の傾斜面３６を登りきり、凹部３４に到達する。この時点で、該ゴルフボール９４に勢いがない場合には、凹部３４の曲面形状によりゴルフボール９４は、矢示Ｕ方向に向かう。その後、ゴルフボール９４は凹部３４に納まる。この場合、ゴルフボール９４の勢いの違いによって、そのまま凹部３４に納まる場合（勢いが弱い場合）と、一端、矢示Ｕ方向に向かって凹部３４から出て、第２の傾斜面５８に向かい、再度、第２の傾斜面５８から転がり落ちて、凹部３４に納まる場合がある。
【００５１】
他方、ゴルフボール９４の速度が速い場合であり、凹部３４に到達した時点で、該ゴルフボール９４に勢いがある場合、例えば、パッティングの強さが１００ｃｍオーバー程度の場合には、ゴルフボール９４は凹部３４を通過して矢示Ｔ方向に向かい、第２の傾斜面５８に差しかかる。ここで、ゴルフボール９４に第２の傾斜面５８を登りきるだけの勢いがある場合、例えば、パッティングの強さが１５０ｃｍオーバー程度の場合には、ゴルフボール９４は第２の傾斜面５８を登りきる。ゴルフボール９４に第２の傾斜面５８を登りきる勢いがない場合には、第２の傾斜面５８から転がり落ち、再度、凹部３４に差しかかる。この際、ゴルフボール９４に勢いがなければ、当該ゴルフボール９４は凹部３４内に納まる。一方、ゴルフボール９４に勢いがある場合は凹部３４を通過して第１の傾斜面３６を転がり落ちてゆく。
【００５２】
第２の傾斜面５８を登りきり、凹部５６に差しかかったゴルフボール９４のその後の行方は、凹部３４に差しかかった場合と同様である。また、第３の傾斜面７６を登りきり、凹部７４に差しかかったゴルフボール９４のその後の行方も、凹部３４に差しかかった場合と同様である。しかしながら、凹部７４に差しかかった際に、ゴルフボール９４の勢いが強い場合、例えば、パッティングの強さが２５０ｃｍオーバーよりさらに強い場合、該ゴルフボール９４は、矢示Ｔ方向に向かってゴルフパター練習器１０から外側に飛び出してゆく。
【００５３】
ゴルフボール９４が直進方向であるＶ方向に向かう場合においては、上述したＴ方向に向かう場合とほとんど同一であるが、そのパッティングの強さはそれぞれわずかに小さい値となる。その動作を再度、説明すると、ゴルフボール９４の速度が小さい場合、例えば、パッティングの強さが３０ｃｍオーバー程度の場合、当該ゴルフボール９４は、第１の傾斜面３６を登りきらず、開口領域２９内に納まる。一方、ゴルフボール９４の速度が速い場合、例えば、パッティングの強さが５０ｃｍオーバー程度の場合には、ゴルフボール９４は矢示Ｖ方向に沿って第１の傾斜面３６を登りきり、凹部３４に到達する。この時点で、該ゴルフボール９４に勢いがない場合には、ゴルフボール９４は凹部３４に納まる。
【００５４】
他方、ゴルフボール９４の速度が大きい場合であり、凹部３４に到達した時点で、ゴルフボール９４に勢いがある場合には、ゴルフボール９４は凹部３４を通過して矢示Ｖ方向に向かい、第２の傾斜面５８に差しかかる。ここで、ゴルフボール９４に第２の傾斜面５８を登りきるだけの勢いがある場合、例えば、パッティングの強さが１５０ｃｍオーバー程度の場合には、ゴルフボール９４は第２の傾斜面５８を登りきり、凹部５６に到達する。ゴルフボール９４に第２の傾斜面５８を登りきる勢いがない場合には、第２の傾斜面５８から転がり落ち、再度、凹部３４に差しかかる。この際、ゴルフボール９４に勢いがなければ、当該ゴルフボール９４は凹部３４内に納まる。一方、ゴルフボール９４に勢いがあれば、凹部３４を通過して第１の傾斜面３６を転がり落ちてゆく。
【００５５】
ゴルフボール９４が第２の傾斜面５８を登りきり、凹部５６に到達した際に、ゴルフボール９４に勢いがない場合は、ゴルフボール９４は、凹部５６に納まる。一方、凹部５６に到達した際に、ゴルフボール９４に勢いがある場合、例えば、パッティングの強さが１５０ｃｍオーバー程度の場合には、ゴルフボール９４は第３の傾斜面７６に差しかかる。その後のゴルフボール９４の行方は、第２の傾斜面５８に差しかかった場合と同様である。しかしながら、ゴルフボール９４が第３の傾斜面７６を登りきり凹部７４に差しかかった際に、ゴルフボール９４の勢いが強い場合、該ゴルフボール９４は、矢示Ｖ方向に向かってゴルフパター練習器１０から外側に飛び出してゆく。
【００５６】
以上のように構成されたゴルフパター練習器１０では、パッティングされたゴルフボール９４が導入部２８のテーパ壁４８および曲面壁４７により、傾斜面３６に導かれる。したがって、パッティングされたゴルフボール９４が傾斜面３６，５８，７６を登って凹部３４，５６，７４に納まりやすくなる。また、基台ユニット２４において、傾斜面３６，５８，７６および凹部３４，５６，７４が一列に並んでいるため、手前側から奥側に向かって直線状に転がったゴルフボール９４が傾斜面３６，５８，７６を登っていき易い。したがって、直線的なパッティングの習得を行うことができる。また、各凹部３４，５６，７４は、水平な場所でパッティングした場合、目的の位置（ホール）から所定の距離だけ離れた位置に相当するように設けられている。この実施の形態では、それぞれ５０ｃｍオーバー、１５０ｃｍオーバー、２５０ｃｍオーバーの強さで打った場合に相当するものとしている。このため、各凹部３４，５６，７４を目標としてパッティングを行うことができ、パッティングにおける正確な距離感を習得することが可能となる。
【００５７】
しかも、基台ユニット２４の高さは計４５ｃｍとなっており突出感はほとんどない。このため、ゴルフ場での実際のパッティング感とほとんど同じとなる。また、第１の傾斜面３６の左右両側には、側面壁４６が、第２および第３の傾斜面５８，７６の左右両側には壁面７０，９０がそれぞれ設けられている。このため、傾斜面３６，５８，７６に差しかかったゴルフボールが各基台１２，１４，１６から外側に転がり落ちるのを防止できる。そのため、ゴルフボール９４が傾斜面３６，５８，７６を登りやすい構成となっている。また、当該ゴルフパター練習器１０を任意の場所に設置して、任意の場所からパッティングを行うことができる。このため、目標とするパッティング距離を各個人で任意に設定することができる。また、当該ゴルフパター練習器１０は基台１２，１４，１６を階段状に重ねるといった単純な構成を有しているため、容易に組み立てることができる。また、ゴルフパター練習器１０は小型であると共に、持ち運び用にまとめることができる。このため、ゴルフパター練習器１０を容易に持ち運ぶことが可能となる。
【００５８】
また、ゴルフパター練習器１０では、凹部３４，５６，７４は、その縁部３５，６１，８０が楕円形状を有するすり鉢状の形態を有している。このため、適度な速さを有するゴルフボール９４のみが凹部３４，５６，７４に納まることになる。したがって、正確なパッティングの距離感を習得することが可能となる。また、縁部３５，６１，８０が幅方向に横長の楕円となっているため、傾斜面３６，５８，７６を登ったゴルフボール９４が凹部３４，５６，７４に納まりやすい。また、凹部３４，５６，７４のそれぞれには、円形の縁部４１，６６，８６を有するゴルフボール９４より若干大きめで略同一形状の第２凹部４０，６４，８４が設けられている。このため、ゴルフボール９４がより凹部３４，５６，７４に安定して納まりやすい構成となっている。
【００５９】
また、ゴルフパター練習器１０では、側面壁４６および壁面７０，９０は手前側に向かって開口するようにテーパ状に形成されていると共に、傾斜面３６，５８，７８の幅の大きさは、上段に向かうにつれて小さくなっている。したがって、ゴルフボール９４は、上に行くほど中心側へ集まり、基台ユニット２４から落ちにくくなると共に、ゴルフボール９４が上段の凹部５６，７４に入りやすくなる。凹部３４，５６，７４も上段に向かうにつれて小さくなっている。これは、グリーン場では遠くのホールほど小さく見えるため、その感覚を付与させるためである。
【００６０】
また、ゴルフパター練習器１０では、曲面壁４７は、内側から外側に向かって膨らむ曲面状の形態を有している。そのため、曲面壁４７に当接したゴルフボール９４は、第１の傾斜面３６の方向に向かって転がりやすくなる。したがって、パッティングしたゴルフボール９４が第１の傾斜面３６に導かれやすくなる。また、この２つの曲面壁４７で囲まれる領域がグリーン場のホールをイメージしやすいものとなる。
【００６１】
また、ゴルフパター練習器１０では、導入部２８は、テーパ壁４８を有している。そのため、テーパ壁４８に当接したゴルフボール９４が第１の傾斜面３６に導かれやすくなる。
【００６２】
また、ゴルフパター練習器１０では、基台ユニット２４に設けられた貫通孔６０，７８にピン１８，２０を差し込むことによって、各基台１２，１４，１６同士をＸ方向、Ｙ方向に相対移動しないようにしている。このため、貫通孔６０，７８にピン１８，２０を差し込むといった容易な方法で、各基台１２，１４，１６同士の相対移動を阻止することができ、ゴルフパター練習器１０を簡単に組み立てることができる。また、ピン１８，２０の外周面と接するように、当該基台ユニット２４の外側に弾性リング２２が掛けられるようにすることができる。このようにした場合、ピン１８，２０は、弾性リング２２から弾性力を受ける。その結果、ピン１８，２０は、貫通孔６０，７８から抜けにくくなる。また、弾性リング２２は基台ユニット２４における凹部３４，５６，７４の両外側を手前側から奥側に沿うように掛けられている。したがって、当該弾性リング２２は上段に向かって登っていくゴルフボール９４に対する一種の壁の役割を果たすことになる。その結果、パッティングされたゴルフボール９４がゴルフパター練習器１０から落ちにくくなり、その結果、ゴルフボール９４は、上段に向かって登って行きやすくなる。
【００６３】
以上、本発明の一実施の形態について説明したが、本発明は上述の形態に限定されることなく、種々変形した形態にて実施可能である。
【００６４】
上述の実施の形態では、ゴルフパター練習器１０は、下基台１２、中基台１４および上基台１６の３つの基台を３段に積み重ねることにより構成されているが、３段に限定されるものでなく、基台を２段に積み重ねるようにしても良いし、４段以上に積み重ねるようにしても良い。２段の場合、下基台１２に中基台１４を重ねる方法と、下基台１２に上基台１６を重ねる方法が考えられる。上基台１６を重ねる場合、貫通孔３８のどの一対に貫通孔７８を連通させるかは適宜選択できる。また、３段以上の場合、凹部を有さない基台を１段以上組み合わせても良い。
【００６５】
また、上述の実施の形態では、基台ユニット２４の外側に弾性リング２２が掛けられているが、弾性リング２２を掛けないようにしても良い。また、上述の実施の形態では、奥側の端面を一致させて平面状としているが、一致させないようにしても良い。また、傾斜面３６，５８，７８および凹部３４，５６，７４が上段に向かうにつれて小さくなるようにしているが、全て同じ大きさとしたり、傾斜面と凹部のいずれか一方のみを徐々に小さくし、他方は全て同じ大きさとしたり、いずれか一方または両者を徐々に大きくしても良い。
【００６６】
また、上述の実施の形態では、凹部３４，５６，７４の縁部３５，６１，８０は楕円形状を有しているが、縁部３５，６１，８０の形状は楕円形状に限定されるものではなく、円形等の他の形状としても良い。また、凹部３４，５６，７４のそれぞれには、第２凹部４０，６４，８４が設けられているが、第２凹部４０，６４，８４を設けないようにしても良い。また、第２凹部４０，６４，８４の縁部４１，６６，８６の形状は円形に限定されるものではなく、楕円形等の他の形状としても良い。
【００６７】
また、上述の実施の形態では、ピン１８，２０を貫通孔６０，７８にそれぞれ差し込むことによって、基台ユニット２４をＸ方向とＹ方向に相対移動できないようにしているが、ピン１８，２０によって相対移動を阻止することに限定されるものではなく、例えば、断面がコの字状の部材を基台ユニット２４の外側に嵌め込むこと等の他の方法により、基台ユニット２４をＸ方向、Ｙ方向およびＺ方向に相対移動できないようにしても良い。
【００６８】
また、上述の実施の形態では、凹部３４，５６，７４は、水平な場所でパッティングした場合に、目的の位置（ホール）からそれぞれ５０ｃｍ、１５０ｃｍおよび２５０ｃｍ離れた位置に相当するように設けられているが、凹部３４，５６，７４を他の距離に相当するように形成するようにしても良い。また、凹部３４が、ホールに相当するとみなしても良い。
【００６９】
また、導入部２８を設けない下基台１２としても良い。また、導入部２８を設ける場合、曲面壁４７、テーパ壁４８のいずれか一方または両者を設けないようにしても良い。また、貫通孔３８，６０，７８の直径は、ゴルフで使用するゴルフティーが挿入できる大きさとしても良い。そうすると、ピン１８，２０を失くしても常時保有している自分のゴルフティーを使用して基台ユニット２４を組み立てることができる。
【産業上の利用可能性】
【００７０】
本発明のゴルフパター練習器は、ゴルフパターの室内用練習器として利用することができる。
【図面の簡単な説明】
【００７１】
【図１】本発明の一実施の形態に係るゴルフパター練習器の構成を示す斜視図である。
【図２】本発明の一実施の形態に係るゴルフパター練習器の平面図である。
【図３】本発明の一実施の形態に係るゴルフパター練習器の正面図である。
【図４】図１中のゴルフパター練習器を構成する下基台、中基台および上基台の構成を示す図であり、（Ａ）は、下基台の平面図であり、（Ｂ）は、中基台の平面図であり、（Ｃ）は、上基台の平面図である。
【図５】本発明の一実施の形態に係るゴルフパター練習器を持ち運び用にまとめた状態を示す平面図である。
【図６】パッティングされたゴルフボールの転がり方について説明するための図である。
【符号の説明】
【００７２】
１０…ゴルフパター練習器
１２…下基台（基台）
１４…中基台（基台）
１６…上基台（基台）
１８，２０…ピン
２２…弾性リング（リング状の弾性部材）
２４…基台ユニット（ユニット）
２８…導入部
３０，５２…露出部（手前側のスペース）
３２，５４…載置部（奥側のスペース）
３４…凹部（第１の凹部）
３５，６１，８０…縁部
３８，６０，７８…貫通孔
３６…第１の傾斜面（傾斜面）
４５…内側壁
４７…曲面壁（内側壁の一部）
４８…テーパ壁（内側壁の一部）
５６…凹部（第２の凹部）
５８…第２の傾斜面（傾斜面）
７０，９６…壁面
７４…凹部（第３の凹部）
７６…第３の傾斜面（傾斜面）
【図１】
2008220838.tif 000003
【図２】
2008220838.tif 000004
【図３】
2008220838.tif 000005
【図４】
2008220838.tif 000006
【図５】
2008220838.tif 000007
【図６】
2008220838.tif 000008
【手続補正書】
【提出日】平成19年7月10日(2007.7.10)
【手続補正１】
【補正対象書類名】特許請求の範囲
【補正対象項目名】請求項１
【補正方法】変更
【補正の内容】
【請求項１】
パッティングされたゴルフボールが登るための傾斜面と、
上記傾斜面を登った上記ゴルフボールが納まる凹部と、
を有する平板状の基台を階段状に複数積み重ねると共に、複数の上記凹部を上記基台が上に行くに従い手前側から奥側に向かって順にずらして配置させて１つのユニットを構成することを特徴とするゴルフパター練習器。
【手続補正２】
【補正対象書類名】明細書
【補正対象項目名】０００６
【補正方法】変更
【補正の内容】
【０００６】
上記課題を解決するために、本発明は、パッティングされたゴルフボールが登るための傾斜面と、傾斜面を登ったゴルフボールが納まる凹部と、を有する平板状の基台を階段状に複数積み重ねると共に、複数の凹部を基台が上に行くに従い手前側から奥側に向かって順にずらして配置させて１つのユニットを構成したものである。